(57)【特許請求の範囲】
【請求項１】
基板と、該基板に対して開閉自在に設けられた開閉板とを備え、前記開閉板が前記基板に対して着脱可能であるメダル選別装置であって、
前記開閉板を前記基板に取り付けたときに前記開閉板を前記基板に対して回動可能とする支軸および軸受部を備え、
前記基板および前記開閉板の一方の板は、前記支軸の軸方向の延長線上に、前記軸方向に突き出た突起部を備え、
前記基板および前記開閉板の他方の板は、前記突起部が入り込む貫通穴または凹部が形成された突起受部を備え、
前記突起受部は、前記貫通穴または前記凹部の前記一方の板側に、前記開閉板の前記基板への取り付け方向に沿って前記貫通穴または前記凹部と外部とを連通し、前記突起部が通過可能な連通路を備え、
前記連通路の幅は、前記突起部における前記連通路の幅方向の寸法よりも小さいことを特徴とするメダル選別装置。
【請求項２】
前記連通路の幅は、前記貫通穴または前記凹部から外部にかけて徐々に大きくなることを特徴とする請求項１に記載のメダル選別装置。
【請求項３】
前記突起部は、先端の前記他方の板側に、先端から根元に向けて前記他方の板に近づく第１傾斜面を有しており、
前記突起受部は、前記連通路を形成する側壁の前記突起部側の端部に、前記突起部に向けて前記連通路の幅が広がる第２傾斜面を有していることを特徴とする請求項１または２に記載のメダル選別装置。
【発明の詳細な説明】
【技術分野】
【０００１】
本発明は、例えばスロットマシンなどの遊技機に備えられるメダル選別装置に関する。
【背景技術】
【０００２】
従来、スロットマシンの投入口の内方には、メダルの真偽選別と投入枚数を計数するためのメダル選別装置が内蔵されている。メダル選別装置は、メダル選別装置の本体をなす基板に開閉板が開閉自在に対設された構造を有する。開閉板は、バネの付勢力で常時基板側に付勢されており、基板と開閉板との対向面間にメダル通路が形成されている（例えば、特許文献１から３）。
【０００３】
また、メダル選別装置のメダル通路には、通過する物体の有無を検知するための検知レバーが設けられている。これにより、メダル通路を通過するメダルやメダル通路内に不正差し込まれた不正治具を検知している。
【０００４】
ところで、このようなメダル選別装置においては、メダル通路を大量のメダルが通過するため、メダル通路にゴミが溜まりやすい。そのため、メダル選別装置のメンテナンスとして、開閉板を開き、メダル通路の定期的な清掃を実施している。ただし、メダル選別装置の構造上、あるいはメダル選別装置が取り付けられている遊技機側の事情により、開閉板を清掃に足る程度に開けないことがある。その場合は、開閉板を基板から取り外し、メンテナンス終了後に、開閉板を基板に取り付けている。
【先行技術文献】
【特許文献】
【０００５】
【特許文献１】特開２００２−１８７３１３号公報（２０１２年１０月０４日公開）
【特許文献２】特開２０１３−２０８２６８号公報（２０１３年１０月１０日公開）
【特許文献３】特開２０１２−１８３１３１号公報（２０１２年０９月２７日公開）
【発明の概要】
【発明が解決しようとする課題】
【０００６】
しかしながら、開閉板を基板から取り外して清掃を行った後、再度開閉板を基板に取り付ける際に、誤った取り付け方を行うことで、メダル選別装置の破損が生じる問題や、検知レバーとメダル通路との間に隙間ができ、検知レバーによる不正治具の検知機能が低下するという問題が発生し得る。以下、この問題について、図１６から図２０を参照して説明する。
【０００７】
図１６は、基板から開閉板が取り外されたときの従来のメダル選別装置を示す斜視図である。メダル選別装置１００は、基板２００と開閉板５００とを備えている。
【０００８】
開閉板５００は、開閉板５００と基板２００とを連結させるコイルバネ５０１と、コイルバネ５０１が巻回される支軸５０３と、ボス（突起部）５０２とを備えている。コイルバネ５０１は、両端が開閉板５００の図示しないバネ固定部に固定されており、両側より巻回され、その中央部が基板２００側に引き出されている。コイルバネ５０１は、この引き出された部分において、Ｌ字状に折曲された折曲部５０１ａを有しており、開閉板５００を基板２００に取り付けたとき、折曲部５０１ａが基板２００に係合する。
【０００９】
ボス５０２は、支軸５０３の軸方向の延長線上に位置し、当該軸方向に突き出ている部材である。
【００１０】
基板２００は、開閉板５００の支軸５０３を受ける一対の軸受部２０４と、ボス５０２が挿入される穴２０３が形成されたボス受部（突起受部）２０２と、開閉板５００に対向する面に設けられた検知レバー２０１とを備えている。
【００１１】
図１７および図１８は、開閉板５００を基板２００に正しく取り付けるときのメダル選別装置１００を示す図であり、図１７は下方から見たときの斜視図、図１８は右方向から見たときの右側面図である。
【００１２】
図１７および図１８に示されるように、開閉板５００を基板２００に取り付けるときには、まず開閉板５００のボス５０２を基板２００の穴２０３に挿入するように、図中（１）で示す方向に開閉板５００を移動させる。これにより、開閉板５００と基板２００との相対位置が決定される。次に、コイルバネ５０１の折曲部５０１ａが基板２００に係合するように、図中（２）で示される方向に、開閉板５００を基板２００側に押し込む。
【００１３】
図１９は、開閉板５００が基板２００に正しく取り付けられたときのメダル選別装置１００の下面図である。図示されるように、開閉板５００が基板２００に正しく取り付けられたとき、ボス５０２が穴２０３に挿入された状態で、コイルバネ５０１が基板２００に係合する。これにより、コイルバネ５０１を介して支軸５０３が軸受部２０４に支持されるとともに、ボス５０２がボス受部２０２に支持されることで、開閉板５００が基板２００に安定して軸支される。
【００１４】
また、開閉板５００と基板２００との対向面間には均一な幅のメダル通路が形成される。このとき、基板２００に設けられた検知レバー２０１は、開閉板５００と接するか、もしくは、開閉板５００との間にほとんど隙間がない。そのため、メダル通路内に差し込まれた不正治具が検知レバー２０１に接触し、不正治具を検知することができる。
【００１５】
しかしながら、取付作業に慣れていない作業者は、誤った方法により開閉板５００を基板２００に無理に取り付けてしまうことがあり得る。すなわち、ボス５０２を穴２０３に挿入することなく、開閉板５００を基板２００に押し込み、コイルバネ５０１を基板２００に係合させる方法である。
【００１６】
図２０は、このような誤った方法により開閉板５００が基板２００に取り付けられたときのメダル選別装置１００の下面図である。なお、図２０の（ａ）は下面全体を示し、（ｂ）は（ａ）の点線内の拡大図である。図示されるように、誤った方法で開閉板５００が基板２００に取り付けられると、ボス５０２は、穴２０３に挿入されず、穴２０３が形成されたボス受部２０２の外周面に接する。そのため、取付作業時に開閉板５００に加わる力やコイルバネ５０１による力により、ボス５０２またはボス受部２０２が破損する可能性がある。
【００１７】
また、ボス５０２が正しい位置に存在しないため、図２０に示されるように、開閉板５００と基板２００との対向面間のメダル通路の幅が広がり、検知レバー２０１と開閉板５００との間に隙間が生じる。そのため、当該隙間に不正治具が差し込まれると、検知レバーにより不正治具を検知できなくなる。
【００１８】
本発明は、上記課題に鑑みなされたもので、その目的は、突起部が突起受部に挿入されていない状態で開閉板を基板に取り付けた場合であっても、破損することなく正しい位置に開閉板を基板に取り付けることができるメダル選別装置を提供することにある。
【課題を解決するための手段】
【００１９】
上記の課題を解決するために、本発明のメダル選別装置は、基板と、該基板に対して開閉自在に設けられた開閉板とを備え、前記開閉板が前記基板に対して着脱可能であるメダル選別装置であって、前記開閉板を前記基板に取り付けたときに前記開閉板を前記基板に対して回動可能とする支軸および軸受部を備え、前記基板および前記開閉板の一方の板は、前記支軸の軸方向の延長線上に、前記軸方向に突き出た突起部を備え、前記基板および前記開閉板の他方の板は、前記突起部が入り込む貫通穴または凹部が形成された突起受部を備え、前記突起受部は、前記貫通穴または前記凹部の前記一方の板側に、前記開閉板の前記基板への取り付け方向に沿って前記貫通穴または前記凹部と外部とを連通し、前記突起部が通過可能な連通路を備え、前記連通路の幅は、前記突起部における前記連通路の幅方向の寸法よりも小さいことを特徴とする。
【００２０】
上記の構成によれば、突起部を貫通穴または凹部に挿入することなく、開閉板を基板に押し付けて取り付けようとしても、突起部は、連通路を通過して、貫通穴または凹部に入り込むことになる。そのため、突起部または突起受部の破損を防止することができる。
【００２１】
また、連通路の幅が突起部における連通路の幅方向の寸法よりも小さいため、一旦貫通穴または凹部に入り込んだ突起部が連通路を通過して外部に外れることを防止でき、突起部が突起受部により安定して、正しい位置に軸支されることとなる。
【００２２】
これにより、突起部が突起受部に挿入されていない状態で開閉板を基板に取り付けた場合であっても、破損することなく正しい位置に開閉板を基板に取り付けることができるメダル選別装置を提供することができる。
【００２３】
さらに、前記連通路の幅は、前記貫通穴または前記凹部から外部にかけて徐々に大きくなることが好ましい。上記の構成によれば、突起部を連通路の入口に入り込みやすくなる。
【００２４】
さらに、前記突起部は、先端の前記他方の板側に、先端から根元に向けて前記他方の板に近づく第１傾斜面を有しており、前記突起受部は、前記連通路を形成する側壁の前記突起部側の端部に、前記突起部に向けて前記連通路の幅が広がる第２傾斜面を有していることが好ましい。
【００２５】
上記の構成によれば、突起受部における連通路の側壁は、突起部が連通路を通過しやすいように、変形しやすくなる（逃げやすくなる）。これにより、突起部を前記貫通穴または前記凹部まで移動させやすくなる。
【発明の効果】
【００２６】
本発明によれば、突起部が突起受部に挿入されていない状態で開閉板を基板に取り付けた場合であっても、破損することなく正しい位置に開閉板を基板に取り付けることができるメダル選別装置を提供できる。
【図面の簡単な説明】
【００２７】
【図１】本実施の形態のメダルセレクタを備えたスロットマシンの外観斜視図である。
【図２】上記スロットマシンの前面扉を片開き式に開口した内部構造を示す斜視図である。
【図３】上記メダルセレクタの正面側を示す外観斜視図である。
【図４】上記メダルセレクタの背面側を示す外観斜視図である。
【図５】上記メダルセレクタの正面図である。
【図６】上記メダルセレクタの下面図である。
【図７】上記メダルセレクタの開閉板を基板から取り外した状態を示す斜視図である。
【図８】上記メダルセレクタの基板の内側の面を示す斜視図である。
【図９】上記メダルセレクタの開閉板の内側の面を示す正面図である。
【図１０】図５のＡ−Ａ’線矢視断面図である。
【図１１】上記メダルセレクタにおける、開閉板が開状態のときのメダルセレクタの斜視図である。
【図１２】上記メダルセレクタにおける、開閉板が開状態のときのメダルセレクタの下面図である。
【図１３】上記開閉板のボスの斜視図である。
【図１４】上記基板のボス受部の斜視図である。
【図１５】上記ボスを上記ボス受部に挿入せずに開閉板を基板に押し付けて取り付けるときのメダルセレクタを示す図である。
【図１６】基板から開閉板が取り外されたときの従来のメダル選別装置を示す斜視図である。
【図１７】開閉板を基板に正しく取り付けるときの従来のメダル選別装置の斜視図である。
【図１８】開閉板を基板に正しく取り付けるときの従来のメダル選別装置の右側面図である。
【図１９】開閉板が基板に正しく取り付けられたときの従来のメダル選別装置の下面図である。
【図２０】誤った方法により開閉板が基板に取り付けられたときの従来のメダル選別装置の下面図である。
【発明を実施するための形態】
【００２８】
以下、本発明の実施の形態について、詳細に説明する。本実施の形態では、遊技機の一例として、遊技ホールに設置されるスロットマシンを示す。
【００２９】
＜スロットマシンの構成＞
図１は、本実施の形態のメダルセレクタ１０を備えたスロットマシン１の外観斜視図である。図２はスロットマシン１の前面扉１ａを片開き式に開口した内部構造を示す斜視図である。
【００３０】
図１に示すように、スロットマシン１には、接客対応される前面上部にパネル２とリール部３とが設けられ、前面中央に３個のストップボタン４が設けられている。また、前面左側にはスタートレバー５と掛け数設定ボタン６ａと精算ボタン６ｂとが設けられ、前面右側には返却ボタン７とメダルＭを１枚ずつ投入するための投入口８とが設けられ、前面下部には、メダルＭを受ける受皿９が設けられている。
【００３１】
図２に示すように、スロットマシン１の前面扉１ａの内側には、上部より下部にかけてリールカバー１４と、メダルの適否を選別するメダル選別装置としてのメダルセレクタ１０と、メダル払出シュート１６と、返却口１７とが、この順に設けられている。一方、スロットマシン本体１ｂの内部空間上部には、メダルセレクタ１０の信号を処理し、またスロットマシン１の各部を制御する制御部１ｃが設置されている。内部空間中央部には、外周面の絵柄の位置を回転・停止して遊技利用させる３列のリール部３が設置され、内部空間下部には、メダルの取り込み・払い出し用のメダル払出装置１１、電源装置１２、オーバフロータンク１３が設置されている。
【００３２】
遊技者は、スロットマシン１を遊技利用するとき、投入口８（図１参照）にメダルＭを１枚ずつ投入する。投入口８に投入されたメダルＭは、一旦メダルセレクタ１０（図２参照）に導かれ、ここで適否が選別される。メダルセレクタ１０で受付が許可されたメダルＭは、メダルセレクタ１０の出口に接続されているメダル搬送通路１５を介してメダル払出装置１１の上部に備えられているホッパタンク１１ａに受入れられる。一方、メダルセレクタ１０で受付が拒否されたメダルＭは、メダル払出シュート１６および返却口１７を介して受皿９（図１参照）へと返却される。なお、メダルセレクタ１０で受付が拒否されたメダルＭ以外に、所定枚数を超えて投入された余剰のメダルＭや、リール回転中やクレジット精算中、電源ＯＦＦ時などに投入されたメダルＭも、メダル払出シュート１６および返却口１７を介して受皿９へと返却される。
【００３３】
＜メダルセレクタ＞
次に、メダルセレクタ１０の構成について説明する。メダルセレクタ１０は、メダルの真偽選別と投入枚数を計数するための装置である。
【００３４】
図３はメダルセレクタ１０の正面側を示す外観斜視図、図４はメダルセレクタ１０の背面側を示す外観斜視図、図５はメダルセレクタ１０の正面図、図６はメダルセレクタ１０の下面図である。また、図７はメダルセレクタ１０の開閉板５０を基板２０から取り外した状態を示す斜視図である。さらに、図８は、基板２０の内側の面（内面）を示す斜視図、図９はメダルセレクタ１０の開閉板５０の内側の面（内面）を示す正面図である。図１０は、図５におけるＡ−Ａ線の矢視断面図である。なお、以下において、基板２０および開閉板５０における互いに対向する側を内側と称し、その反対側を裏側と称し、互いに対向する側の面を内面と称し、その反対側の面を裏面と称する。また、メダルセレクタ１０は、背面側にカバーを備えているが図示していない。
【００３５】
メダルセレクタ１０は、基板２０と開閉板５０とを開閉自在に対設させて構成されており、これらの基板２０と開閉板５０との対向面間に、上方に開口する入口８１（図４参照）と、右側側面の下方の出口８２（図３，４参照）との間を結ぶ略Ｌ字形状のメダル通路８３（図３，７参照）が形成されている。
【００３６】
基板２０は平面視コの字状で、その起立した正面は正方形状を有している。そして、この正方形状の基板２０の内面（開閉板５０と対向する面）に、図８に示されるように、メダル通路８３の一方の片面が形成されている。一方、開閉板５０は、基板２０の平面視コの字状空間に納まる一回り小さい板状を有して基板２０に対設され、図９に示されるように、メダル通路８３の他方の片面が形成されている。
【００３７】
＜メダル／不正治具の判定に関する構成＞
メダル通路８３を通過する物体がメダルであるのか不正に差し込まれた治具（不正治具）であるのかを判定する部材として、基板２０は、図７および図８に示されるように検知レバー２１および光学式センサ２２を内面に備え、図４に示されるように検知部２４を外面に備えている。
【００３８】
検知レバー２１は、メダル通路８３に出没自在に設けられる部材である。検知レバー２１は、図１０に示されるように、軸２８により回動可能に軸支され、コイルバネ２９によりメダル通路８３に突出するように付勢されている。検知部２４は、検知レバー２１の裏側に配置されており、検知レバー２１の動きを検知する。すなわち、検知部２４は、コイルバネ２９の付勢力に抗って検知レバー２１が基板２０側に押し込まれた動きを検知したとき、メダル通路８３内に物体有りと判定し、当該動きを検知しないとき、メダル通路８３内に物体無しと判定する。このように、検知レバー２１および検知部２４は、メダル通路８３を通るメダルや不正に差し込まれた治具（不正治具）等の物体の有無を検知するセンサとして機能する。
【００３９】
検知レバー２１の先端部２１ａは、開閉板５０を閉じた状態において、図１０に示すように、開閉板５０側のメダル通路８３の壁面に形成された凹部５１に入り込んでいる。これにより、検知レバー２１に触れることなく、不正治具をメダル通路８３に差し込むことが困難となり、メダル通路８３に差し込まれた不正治具をより精度良く検知できる。
【００４０】
光学式センサ２２は、メダル通路８３内の物体の有無を光学的に検知するセンサであり、図８に示されるように、発光部２２ａと受光部２２ｂとを備える。
【００４１】
光学式センサ２２は、メダル通路８３において、検知レバー２１よりも下流側に配置されている。そのため、入口８１から投入されたメダルは、メダル通路８３を通過する際、検知レバー２１に接触した後、光学式センサ２２により検知される。メダル通路８３を通過するメダルの速度が略一定であることから、メダル通路８３内をメダルが通過する場合、検知部２４が物体有りと判定してから検知部２４が物体無しと判定するまでの第１期間、検知部２４が物体有りと判定してから光学式センサ２２が物体有りと判定するまでの第２期間、光学式センサ２２が物体有りと判定してから光学式センサ２２が物体無しと判定するまでの第３期間も、それぞれ略一定となる。そこで、メダルセレクタ１０は、検知部２４および光学式センサ２２による物体有り／無しの検知タイミングに基づいて、メダル通路８３内を適正なメダルが通過している正常状態であるのか、そうでない異常状態であるのかを判定することができる。なお、異常状態には、例えば不正治具がメダル通路８３に差し込まれている状態が含まれる。
【００４２】
＜メダル選別に関する構成＞
次に、メダルセレクタ１０のメダル選別に関する主な構造について説明する。メダル選別に関する部材として、基板２０は、小径メダル排除レバー２３を内面に備え（図３，４，８参照）、ソレノイド２５および可動板２６を裏面に備える（図４参照）。一方、開閉板５０は、小径メダル排除レバー２３に対向する位置に排除口５２（図３，５，９参照）が形成され、可動ガイド板５３（図３，５，９参照）と通路形成プレート５４（図５，９参照）とを備えている。
【００４３】
小径メダル排除レバー２３は、メダル通路８３に出没できるように、回動可能に軸支されており、メダル通路８３の内方に向けて付勢されている。開閉板５０の小径メダル排除レバー２３と対向する位置に形成された排除口５２における、メダル通路８３に平行かつメダル進行方向に直交する方向の幅は、適正なメダルの直径よりも僅かに小さい。そのため、適正なメダルは、排除口５２から排除されず、小径メダル排除レバー２３を基板２０側に押込みながらメダル通路８３を通過する。一方、適正なメダルよりも小径のメダル（小径メダル）の直径は、排除口５２の幅よりも小さいため、小径メダル排除レバー２３により排除口５２側に押され、排除口５２から排除される。
【００４４】
可動板２６は、ソレノイド２５の駆動力を受けて可動する板である。可動板２６は、一端側の先端部２６ａに可動ガイド用リンク２７が掛止されており、他端側がバネにより付勢されている。
【００４５】
可動ガイド用リンク２７は、基板２０および開閉板５０を貫通するリンク軸３０（図４，８，９参照）と一体となって動作する。リンク軸３０は、ソレノイドのＯＮ（励磁）時に、開閉板５０の裏面において、可動ガイド板５３（図３，５参照）を押下する。
【００４６】
通路形成プレート５４は、メダル通路８３の通路底面を形成するプレートであり、開閉板５０の下部の開口部５９（図９参照）を介して、メダル通路８３の通路領域下部に向けて出没自在に設けられている。通路形成プレート５４は、可動ガイド板５３と接続されており、可動ガイド板５３と一体となって動く。
【００４７】
可動ガイド板５３は、上下方向に長いレバー形状を有し、一端がリンク軸３０に重なるように位置し、他端が通路形成プレート５４に接続している。可動ガイド板５３は、その中央付近において、メダル通路８３と平行に軸支されており、通路形成プレート５４がメダル通路から退避する方向に付勢されている。そのため、ソレノイドのＯＦＦ（非励磁）時には、メダルセレクタ１０は、通路形成プレート５４がメダル通路８３から退避し、メダル通路８３の底面がメダル排除用に開放された状態となる。一方、ソレノイドのＯＮ（励磁）時には、リンク軸３０が可動ガイド板５３を開閉板５０の裏面側に押下し、通路形成プレート５４がメダル通路８３の下部に突出してメダル通路８３の底面を形成し、メダルの通過を可能とする。
【００４８】
このように、例えば返却ボタンが押下された場合などメダル受付不可とするときには、ソレノイドをＯＦＦにすることにより、投入されたメダルを受け付けることなく返却することができる。
【００４９】
＜開閉板の着脱に関する構成＞
本実施形態のメダルセレクタ１０は、基板２０から開閉板５０を着脱可能であり、かつ、開閉板５０を基板２０に取り付けたときに開閉板５０が基板２０に対して回動することで開閉可能となる構成を有している。当該構成として、開閉板５０は、図３、図５および図７に示されるように、出口８２側の側部の上方に上下方向に延びる支軸５５と、支軸５５に巻回されるコイルバネ５６とを備えている。一方、基板２０は、開閉板５０を基板に取り付ける際にコイルバネ５６を案内する案内面３４と、案内面３４の裏側に位置し、コイルバネ５６が係合されるバネ受部３１（図４参照）と、開閉板５０の支軸５５を受ける一対の軸受部３２（図３，７参照）とを備えている。
【００５０】
コイルバネ５６は、図３および図５に示されるように、両端部５６ａが開閉板５０の裏面側に設けられたバネ固定部５７に突き当てられた状態で、両側より巻回される。また、コイルバネ５６は、図７に示されるように、その中央部が基板２０側に引き出されている。コイルバネ５６は、この引き出された部分において、開閉板５０の支軸５５が設けられていない側の側部に向かって折り曲げられた第１折曲部５６ｂと、第１折曲部５６ｂよりも先端側において基板２０に向かってさらに折り曲げられた第２折曲部５６ｃとを有している。
【００５１】
基板２０の案内面３４は、基板２０の出口８２側の側部に向かって傾斜した面である。そのため、図７に示す状態から、図の矢印でしめされる取り付け方向に沿って開閉板５０を基板２０に押し付けると、コイルバネ５６の第２折曲部５６ｃよりも先端側の部分は、コイルバネ５６を締め付けながら、基板２０の案内面３４に沿って移動する。そして、第２折曲部５６ｃが案内面３４の端まで移動すると、第１折曲部５６ｂが基板２０のバネ受部３１に係合する。これにより、開閉板５０が基板２０に取り付けられる。このとき、コイルバネ５６は、開閉板５０を基板２０側へ付勢する。また、コイルバネ５６の付勢力に抗う力を開閉板５０に加えることにより、開閉板５０は、支軸５５を中心に回動し、支軸５５が設けられていない側の側部が開放された開状態となる。
【００５２】
図１１および図１２は、開閉板５０が開状態のときのメダルセレクタ１０を示す図であり、図１１が斜視図、図１２が下面図である。図示されるように、開閉板５０を支軸５５を中心にして回動させることで、メダル通路８３が露出し、メダル通路８３に溜まったゴミなどを取り除くメンテナンスを行うことができる。
【００５３】
さらに、本実施形態では、より強固に開閉板５０が基板２０に軸支されるために、開閉板５０は、図６、図７および図９に示されるように、支軸５５の軸方向ｔに当該軸方向に突き出た突起部としてボス５８を備え、基板２０は、図６から図８に示されるように、突起受部として、ボス５８を受けるためのボス受部３３を備えている。ボス５８およびボス受部３３は、メダル通路８３の出口８２より下方に設けられている。
【００５４】
図１３は、ボス５８の拡大斜視図である。図１３において、手前側が開閉板５０の内側（基板２０側）である。図１３に示されるように、ボス５８は、開閉板５０の下面から突き出た円柱形状の突起部であり、その先端である円柱の下部の基板２０側に、下（つまり、ボス５８の先端）から上（つまり、ボス５８の根元）に向けて基板２０に近くなるように傾斜した傾斜面（第１傾斜面）５８ａが形成されている。
【００５５】
図１４は、ボス受部３３の拡大斜視図である。図１４において、手前側が基板２０の内側（開閉板５０側）である。図１４に示されるように、ボス受部３３は、支軸５５の軸方向に貫通した穴３３ａと、穴３３ａの開閉板５０側に、開閉板５０の基板２０への取り付け方向に沿って穴３３ａと外部とを連通する連通路３３ｂとが形成されている。
【００５６】
ここで、取り付け方向は、図７に示されるように、開閉板５０と基板２０とが対向する方向であり、メダル通路８３を形成する面に直交する方向（メダル通路の幅方向）と略一致する。
【００５７】
穴３３ａは、開閉板５０を斜めにした状態でボス５８が挿入されやすいように長穴である。穴３３ａの短径は、ボス５８の径と同等もしくはわずかに大きく設定されている。また、開閉板５０が基板２０に正しく取り付けられたとき、ボス５８が穴３３ａの連通路３３ｂ側の端部に位置するように（図６参照）、ボス受部３３に穴３３ａが形成されている。そして、穴３３ａの連通路３３ｂ側の壁面は、円柱形状のボス５８の外周面に対応する曲率半径の曲面となっている。そのため、図１２に示されるように、ボス５８は、開閉板の回動時に、ボス受部３３により安定して軸支される。
【００５８】
一方、連通路３３ｂの幅Ｗは、ボス５８が連通路３３ｂを通過可能に、ボス５８における連通路３３ｂの幅方向の寸法（本実施形態では、ボス５８が円柱形状であるため、その直径である）よりも小さく設定されている。さらに、連通路の幅Ｗは、穴３３ａから外部に向かって徐々に大きくなるように設定されている。そのため、ボス５８を穴３３ｂに挿入せずに開閉板５０を基板２０に押し付けて、コイルバネ５６を基板２０に係合させようとしても、ボス受部３３またはボス５８の破損を防止できる。この点について、以下に説明する。
【００５９】
図１５は、ボス５８を穴３３ａに挿入せずに開閉板５０を基板２０に押し付けて取り付けるときのメダルセレクタ１０の状態を示す図である。図１５の（ａ）および（ｂ）は、ボス５８を穴３３ａに挿入せずに開閉板５０を基板２０に押し付ける直前の状態を示しており、（ｃ）および（ｄ）は、開閉板５０を基板２０に押し付けて取り付けた後の状態を示している。なお、（ｂ）および（ｄ）はそれぞれ、（ａ）および（ｃ）の点線部の拡大図である。
【００６０】
図１５の（ａ）（ｂ）に示されるように、開閉板５０を基板２０に押し付ける直前では、ボス５８は、ボス受部３３の連通路３３ｂの入口付近に位置している。この状態から、図１５の（ｂ）の矢印で示される取り付け方向に開閉板５０を基板２０に押し付けると、コイルバネ５６の第２折曲部５６ｃよりも先端側が案内面３４に従って基板２０側に移動し、第１折曲部５６ｂがバネ受部３１に係合する。このとき、ボス受部３３における連通路３３ｂを形成している一対の側壁３３ｃ，３３ｄは、ボス５８からの力を受けて、互いに離れるように左右に逃げる。その結果、図１５の（ｃ）（ｄ）に示されるように、ボス５８は、連通路３３ｂを通過して、穴３３ａまで移動することができる。
【００６１】
また、連通路３３ｂの幅がボス５８の直径よりも小さいため、一旦穴３３ａに入り込んだボス５８が連通路３３ｂを通過して外部に外れることを防止でき、ボス５８がボス受部３３により安定して、正しい位置に軸支されることとなる。
【００６２】
さらに、上述したように、連通路３３ｂの幅Ｗが穴３３ａから外部に向かって徐々に大きくなるため、ボス５８が連通路３３ｂの入口に入り込みやすくなる。
【００６３】
連通路３３ｂを形成する側壁３３ｃ，３３ｄのボス５８側の端部（ここでは、側壁３３ｃ，３３ｄの上方の端部）には、図１４に示されるように、ボス５８に向けて（ここでは、下から上に向けて）連通路３３ｂの幅が大きくなるような傾斜面（第２傾斜面）３３ｅ，３３ｆが形成されている。そのため、図１５の（ａ）および（ｂ）の状態において開閉板５０を基板２０側に押し付けると、ボス５８の傾斜面５８ａとボス受部３３の傾斜面３３ｅ，３３ｆとが当接し、ボス受部３３の一対の側壁３３ｃ，３３ｄはそれぞれ、傾斜面３３ｅ，３３ｆの法線方向に逃げやすくなる。これにより、ボス５８が連通路３３ｂをより通過しやすくなる。
【００６４】
また、図１３に示されるように、ボス５８の開閉板５０の裏側には、傾斜面５８ａのような傾斜面が形成されていない。そのため、一旦ボス５８が穴３３ａに差し込まれると、ボス５８が穴３３ａから連通路３３ｂを通って抜けにくくなっている。
【００６５】
さらに、図５に示されるように、開閉板５０が基板２０に取り付けられたとき、ボス５８は、ボス受部３３の穴３３ａの深さの約半分だけ入り込むような高さに設定されている。これによっても、ボス５８が連通路３３ｂをより通過しやすくなっている。
【００６６】
なお、本実施の形態のメダルセレクタ１０では、開閉板５０が支軸５５およびコイルバネ５６を備え、基板２０が軸受部３２、案内面３４およびバネ受部３１を備える構成としたが、基板２０が支軸およびコイルバネを備え、開閉板５０が軸受部３２、案内面３４およびバネ受部３１を備える構成であってもよい。
【００６７】
また、本実施の形態では、ボス受部３３に貫通する穴３３ａが形成されている構成としたが、ボス受部３３は、当該穴３３ａの代わりに、ボス５８が入り込むことが可能な凹部を備えていてもよい。
【００６８】
また、本実施の形態のメダルセレクタ１０では、開閉板５０がボス５８を備え、基板２０がボス受部３３を備える構成としたが、基板２０がボス５８を備え、開閉板５０がボス受部３３を備える構成であってもよい。
【００６９】
また、本実施の形態のメダルセレクタ１０では、突起部として円柱形状のボス５８を備えるものとしたが、突起部の形状は円柱形状に限定されるものではない。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７１】
本発明は、基板に開閉板が開閉自在に対設され、基板と開閉板との対向面間にメダル通路が形成されているメダル選別装置に適用することができる。
【符号の説明】
【００７２】
１      スロットマシン（遊技機）
１０    メダルセレクタ
２０    基板
２１    検知レバー
３２    軸受部
３３    ボス受部（突起受部）
３３ｂ  連通路
３３ｃ，３３ｄ  側壁
３３ｅ，３３ｆ  傾斜面（第２傾斜面）
５０    開閉板
５５    支軸
５８    ボス（突起部）
５８ａ  傾斜面（第１傾斜面）
８３  メダル通路
【図１】
0006384348.tif 000002
【図２】
0006384348.tif 000003
【図３】
0006384348.tif 000004
【図４】
0006384348.tif 000005
【図５】
0006384348.tif 000006
【図６】
0006384348.tif 000007
【図７】
0006384348.tif 000008
【図８】
0006384348.tif 000009
【図９】
0006384348.tif 000010
【図１０】
0006384348.tif 000011
【図１１】
0006384348.tif 000012
【図１２】
0006384348.tif 000013
【図１３】
0006384348.tif 000014
【図１４】
0006384348.tif 000015
【図１５】
0006384348.tif 000016
【図１６】
0006384348.tif 000017
【図１７】
0006384348.tif 000018
【図１８】
0006384348.tif 000019
【図１９】
0006384348.tif 000020
【図２０】
0006384348.tif 000021